【手続補正書】
【提出日】平成25年8月7日(2013.8.7)
【手続補正１】
【補正対象書類名】特許請求の範囲
【補正対象項目名】全文
【補正方法】変更
【補正の内容】
【特許請求の範囲】
【請求項１】
電磁誘導方式又は電磁結合方式で通信する通信装置側ループアンテナと、前記通信装置側ループアンテナを介して通信処理する制御部とを備える電磁誘導通信装置と、
前記通信装置側ループアンテナとの間で電磁誘導方式又は電磁結合方式で通信する中継ループアンテナと、前記中継ループアンテナの両端に接続されスリットを介して配置され導電性を有する一対の中継導電部材とを備える中継通信装置とを備える通信システムに用いられ、
前記中継通信装置を介して、前記電磁誘導通信装置の前記制御部との間で通信処理する情報記憶媒体を、一方向である媒体配列方向に配列して製造する情報記憶媒体製造方法であって、
絶縁性基材上に、電気的に独立した一対の導電プレートの複数の組み合わせを離間して形成する導電プレート形成工程と、
前記導電プレート形成工程で形成した前記一対の導電プレートに対して、前記一対の導電プレート間のスリットを跨ぐように、電磁誘導方式又は電磁結合方式で通信可能なＩＣチップを配置するＩＣチップ配置工程とを備えること、
を特徴とする情報記憶媒体製造方法。
【請求項２】
請求項１に記載の情報記憶媒体製造方法において、
導電性薄板を、前記絶縁性基材上に形成する導電性薄板形成工程を備え、
前記導電プレート形成工程は、前記導電性薄板形成工程で形成された前記導電性薄板の一部である除去領域を除去して、前記導電プレートを離間させる導電性薄板除去工程を有すること、
を特徴とする情報記憶媒体製造方法。
【請求項３】
請求項２に記載の情報記憶媒体製造方法において、
前記導電性薄板除去工程は、前記導電性薄板の一部である除去領域を、切削によって除去すること、
を特徴とする情報記憶媒体製造方法。
【請求項４】
請求項３に記載の情報記憶媒体製造方法において、
前記一対の導電プレートの配列方向は、前記媒体配列方向に直交する直交方向であり、
前記導電性薄板除去工程は、
前記媒体配列方向に沿った除去領域を、切削によって除去して前記スリットを形成する媒体配列方向除去工程と、
前記直交方向に沿った除去領域を、切削によって除去する直交方向除去工程とを備えること、
を特徴とする情報記憶媒体製造方法。
【請求項５】
請求項３に記載の情報記憶媒体製造方法において、
前記一対の導電プレートの配列方向は、前記媒体配列方向に直交する直交方向であり、
前記導電性薄板形成工程は、一対の前記導電性薄板を、前記スリットを有するように、前記直交方向に並べて前記絶縁性基材上に形成し、
前記導電性薄板除去工程は、前記導電性薄板の前記直交方向に沿った除去領域を、切削によって除去する直交方向除去工程を備えること、
を特徴とする情報記憶媒体製造方法。
【請求項６】
請求項３に記載の情報記憶媒体製造方法において、
前記一対の導電プレートの配列方向は、前記媒体配列方向であり、
前記導電性薄板除去工程は、
前記媒体配列方向に直交する直交方向に沿った前記一対の導電プレート間の除去領域を、切削によって除去して前記スリットを形成する一対のプレート間除去工程と、
前記直交方向に沿った前記複数の組み合わせ間の除去領域を、切削によって除去する組み合わせ間除去工程とを備えること、
を特徴とする情報記憶媒体製造方法。
【請求項７】
請求項２に記載の情報記憶媒体製造方法において、
前記導電性薄板除去工程は、前記除去領域を、エッチングによって除去すること、
を特徴とする情報記憶媒体製造方法。
【請求項８】
請求項１から請求項７までのいずれか１項に記載の情報記憶媒体製造方法において、
前記導電プレート形成工程は、前記導電プレートをめっき法にて形成すること、
を特徴とする情報記憶媒体製造方法。
【請求項９】
請求項１から請求項７までのいずれか１項に記載の情報記憶媒体製造方法において、
前記導電プレート形成工程は、前記導電プレートを導電性インキ印刷にて形成すること、
を特徴とする情報記憶媒体製造方法。
【請求項１０】
請求項１から請求項９までのいずれか１項に記載の情報記憶媒体製造方法において、
前記導電プレート形成工程は、前記媒体配列方向に隣合う前記導電プレートの間隔を、前記一対の各導電プレート間の前記スリットよりも十分に大きくすること、
を特徴とする情報記憶媒体製造方法。
【請求項１１】
請求項１から請求項１０までのいずれか１項に記載の情報記憶媒体製造方法において、
前記絶縁性基材のうち前記組み合わせ間を切断して、この情報記憶媒体を個片にする個片工程を備えること、
を特徴とする情報記憶媒体製造方法。
【手続補正２】
【補正対象書類名】明細書
【補正対象項目名】０００７
【補正方法】変更
【補正の内容】
【０００７】
・第２の発明は、第１の発明の情報記憶媒体製造方法において、導電性薄板（５０，２５０Ａ，２５０Ｂ，３５０）を、前記絶縁性基材上に形成する導電性薄板形成工程を備え、
前記導電プレート形成工程は、前記導電性薄板形成工程で形成された前記導電性薄板の一部である除去領域を除去して、前記導電プレートを離間させる導電性薄板除去工程を有すること、を特徴とする情報記憶媒体製造方法である。
・第３の発明は、第２の発明の情報記憶媒体製造方法において、前記導電性薄板除去工程は、前記導電性薄板（５０，２５０Ａ，２５０Ｂ，３５０）の一部である除去領域を、切削によって除去すること、を特徴とする情報記憶媒体製造方法である。
・第４の発明は、第３の発明の情報記憶媒体製造方法において、前記一対の導電プレート（４２Ａ，４２Ｂ）の配列方向は、前記媒体配列方向に直交する直交方向（Ａ）であり、
前記導電性薄板除去工程は、前記媒体配列方向に沿った除去領域を、切削によって除去して前記スリットを形成する媒体配列方向除去工程と、前記直交方向に沿った除去領域を、切削によって除去する直交方向除去工程とを備えること、を特徴とする情報記憶媒体製造方法である。
・第５の発明は、第３の発明の情報記憶媒体製造方法において、前記一対の導電プレートの配列方向（２４２Ａ，２４２Ｂ）は、前記媒体配列方向に直交する直交方向（Ａ）であり、前記導電性薄板形成工程は、一対の前記導電性薄板（２５０Ａ，２５０Ｂ）を、前記スリットを有するように、前記直交方向に並べて前記絶縁性基材上に形成し、前記導電性薄板除去工程は、前記導電性薄板の前記直交方向に沿った除去領域を、切削によって除去する直交方向除去工程を備えること、を特徴とする情報記憶媒体製造方法である。
・第６の発明は、第３の発明の情報記憶媒体製造方法において、前記一対の導電プレートの配列方向（３４２Ａ，３４２Ｂ）は、前記媒体配列方向（Ｂ）であり、前記導電性薄板除去工程は、前記媒体配列方向に直交する直交方向に沿った前記一対の導電プレート間の除去領域を、切削によって除去して前記スリットを形成する一対のプレート間除去工程と、前記直交方向に沿った前記複数の組み合わせ間の除去領域を、切削によって除去する組み合わせ間除去工程とを備えること、を特徴とする情報記憶媒体製造方法である。
・第７の発明は、第２の発明の情報記憶媒体製造方法において、前記導電性薄板除去工程は、前記除去領域を、エッチングによって除去すること、を特徴とする情報記憶媒体製造方法である。
・第８の発明は、第１から第７までのいずれかの発明の情報記憶媒体製造方法において、前記導電プレート形成工程は、前記導電プレートをめっき法にて形成すること、を特徴とする情報記憶媒体製造方法である。
・第９の発明は、第１から第７までのいずれかの発明の情報記憶媒体製造方法において、前記導電プレート形成工程は、導電性インキ印刷にて形成されている事を特徴とする情報記憶媒体製造方法である。
・第１０の発明は、第１から第９までのいずれかの発明の情報記憶媒体製造方法において、前記導電プレート形成工程は、前記媒体配列方向に隣合う前記導電プレートの間隔（Ｌ５）を、前記一対の各導電プレート間の前記スリット（４０ａ，２４０ａ，３４０ａ）よりも十分に大きくすること、を特徴とする情報記憶媒体製造方法である。
・第１１の発明は、第１から第１０までのいずれかの発明の情報記憶媒体製造方法において、前記絶縁性基材のうち前記組み合わせ間を切断して、この情報記憶媒体（４０，２４０，３４０）を個片にする個片工程を備えること、を特徴とする情報記憶媒体製造方法である。